(57)【要約】      （修正有）【課題】従来の調理指導容器の周壁に各種の調味料名やそれらの配合割合と各種の量目盛りとを表示するものは表示する場所が狭く、メニュープレイトを周壁に取り付けたものでは調味料を注ぐ先端を見ていると目盛りが注視出来ず取扱い難く、底部を斜めに傾けた斜底計量容器では、その傾斜底部から調理用指示板を取り外すときの指先が傾斜底部と調理用指示板とのあいだに差し込み難いなどの欠点を取り除く。【解決手段】調理用指示板を可撓性素材によって形成して水平で可透視性の底部を傾斜させた斜底計量容器２の傾斜底部３の裏側面への脱着を可能とし、調理用指示板が傾斜底部３である横幅より広くした縁の部分を圧接縁部として設け、その調理用指示板の表面に各種の材料名と配合量目盛りとを設けて取付けと取外しとを圧接縁部の弾力で可能なものとし、圧接縁部より連続する突出片を摘みとして取外し易くした。【選択図】図１
2011007650.tif 000002
【特許請求の範囲】
【請求項１】
調理用指示板を可撓性素材によって形成し、適宜形状の水平で可透視性の素材による開口部と底部とを設けている筒状とした容器の底部を傾斜させた斜底計量容器において、調
理用指示板を傾斜底部である裏側面の横幅より少しばかり広くし、その左右の横縁の部分に複数の切込みを設けて下室内壁面と接触する圧接縁部として少なくとも一箇所に設け、その調理用指示板の表面には合せ調理名や各種の材料名とそれぞれの配合量目盛りとを設け、下室内壁面と接触する圧接縁部より外側に向けて連続する突出片を取り外すときの摘みとして少なくとも１箇所に設けたことを特徴とする調理用指示板。
【請求項２】
開口部と底部とを設けている筒状の容器で、その水平状態の底部の中心から対向する底部の周辺部分に到る幅のある中心部分だけを開口部の縁に向けて傾斜させた長方形状の傾斜縦長底部を形成し、その傾斜縦長底部の裏側に装着する縦長調理用指示板を形成したことを特徴とする請求項１記載の調理用指示板。
【請求項３】
開口部と底部とを設けている筒状の容器で、水平状態の底部の周辺部分に少しの幅となる縁の馬蹄形状の部分だけを開口部の縁に向けて傾斜させて傾斜馬蹄形底部を設け、その傾斜馬蹄形底部の裏側面に装着する馬蹄調理用指示板の内側となる縁に圧接縁部を設け、その馬蹄調理用指示板の外側となる縁に取り外すときの摘みを設けたことを特徴とする請求項１記載の調理用指示板。
【請求項４】
調理用指示板には圧接縁部を設けず、その傾斜底部の裏側となる空間室の下室内壁面と接触維持することが出来ない大きさの調理用指示板を不圧縁指示板として形成し、その不圧縁指示板とは別体であって不圧縁指示板の裏側より押し当てる押当板の左右となる横縁の部分に複数の切込みを設けた圧接縁部として押当板を形成し、下室内壁面と接触する押当板の圧接縁部より外側に向けて連続する突出片を取り外すときの摘みとして少なくとも一箇所に設けたことを特徴とする請求項１記載の調理用指示板。
【請求項５】
圧接縁部を、外から圧力を加えると縮小し、その外圧を除くと元の状態に戻る反発性を有するスポンジやゴムなどによる反発縁部によって形成したことを特徴とする請求項１乃至請求項３のうちのいずれか1項に記載の調理用指示板。
【請求項６】
不圧縁指示板を傾斜底部の裏側面に押し当てた状態において、空間室の上側となる上端空間室の中に弾性のある詰込物を弾性詰込物とし、その弾性詰込物の下室内壁面と接触する弾性詰込物の部分より外側に向けて連続する突出片を取り外すときの摘みとして少なくとも一箇所に設けたことを特徴とする弾性詰込物を使用する請求項１乃至請求項３のうちのいずれか1項に記載の調理用指示板。
【請求項７】
調理用指示板や不圧縁指示板の押当板となる楕円形の長径や長径と平行状態になる縦線を折り曲げが出来る屈曲部として少なくとも１箇所に設けたものとし、その圧接縁部より外側に向けて連続する突出片を取り外すときの摘みとして設けたことを特徴とする請求項１乃至請求項４のうちのいずれか1項に記載の調理用指示板。
【請求項８】
圧接縁部より内側となって屈曲部に掛からない部分において、切線によって一箇所を切残して切り起し状態とした舌状突出片を少なくとも１箇所に設けたことを特徴とする請求項１乃至請求項７のうちのいずれか1項に記載の調理用指示板。
【発明の詳細な説明】
【技術分野】
【０００１】
この発明は、各種の調味料を混ぜ合せることで求めようとする合せ調味料を作る調理用指示板であって、適宜形状の水平で可透視性な底部を傾斜させた斜底計量容器の傾斜底部の裏側面に各種の調味料名や配合割合の各種の量目盛りなどを記載した調理用指示板を装着させることで、各種の調味料を注ぎ込む先端とその量目盛りとを開口部からの読み取りが容易なものとした調理用指示板に関するものである。
【背景技術】
【０００２】
従来、合せ調味料を作る方法としては、透明な計量容器の周壁に所定の各種の調味料名とその各種の配合割合の量目盛とを表示した調理指導容器の特許文献１があった。
【０００３】
また、各種の調味料名や配合割合の各種の量目盛りをメニュープレイトに記載したものを作成し、そのメニュープレイトを計量カップの外側になる周壁に差し込み口を設けて取り付けと取り外しとを可能にした料理用計量カップの特許文献２もあった。
【０００４】
それから、計量カップの可透視性な底部を斜めに傾けた斜底計量容器もあって、その傾斜底部の外側面に突起を設け、調理用指示板には突起と嵌合する孔を設けたことで調理用指示板を傾斜底部の外側面に着脱することが出来る特許文献３もあった。
【先行技術文献】
【特許文献】
【０００５】
【特許文献１】特開平８−２７８１８３号公報
【特許文献２】特開平９−２３８８５３号公報
【特許文献３】特開２００５−３４５１６２号公報
【発明の概要】
【発明が解決しようとする課題】
【０００６】
従来の特開平８−２７８１８３号の調理指導容器における容器の周壁に各種の調味料名やそれらの配合割合と各種の量目盛りとを表示することは、その容器の周壁の広さによって制限されるため合わせ調味料の種類を数多く表示することが出来ない欠点があった。
【０００７】
また、特開平９−２３８８５３号のメニュープレイトを周壁に取り付けて横から量目盛りを見るものでは、注ぎ込まれている調味料の先端とメニュープレイトの目盛りとを一つの視線に入れて見ることが容易に出来ず、目盛りを横から読む姿勢も不安定で目盛りを注視していると注ぐ調味料を容器から外れて注ぎ込んだり、調味料を注ぐ先端を見ていると目盛りが注視出来ずにより多くを注ぎ込んだり、注ぎ込むときに液面が波立つてその液面と目盛とが合せ難く成ったりして取扱い難さのある欠点があった。
【０００８】
それから、特開２００５−３４５１６２号の底部を斜めに傾けた斜底計量容器においては、その傾斜底部の外側面に突起を設けておき、調理用指示板には傾斜底部の突起と嵌合する孔を設けたものとして、その突起と孔とによる嵌め込み操作と取外し操作とによるものであり、これを取り外すときには指先をその傾斜底部と調理用指示板との狭くて透き間の無いところに差し込むことが簡単ではなく、狭いところにおける指先の操作によって取外し作業をするものなので調理用指示板の取扱いが困難となる欠点があった。
【課題を解決するための手段】
【０００９】
本発明の合せ調味料の調理用指示板１は、適宜形状の水平で可透視性の素材による開口部と底部とを設けている容器の全底部を傾斜させた斜底計量容器２において、その傾斜底部３の大きさと同じ大きさを基準とする調理用指示板１をプラスチックや腰のある紙質などの可撓性素材によって形成し、その調理用指示板１を傾斜底部３である裏側面の横幅より少しばかり広くして、その少しばかり広くした縁の部分に切込み１５を複数設けることで下室内壁面４と接触する小片の板ばね力と接触部分の摩擦抵抗とがある圧接縁部５となるものを少なくとも一箇所に設けたものとし、その調理用指示板１の表面に合せ調理料名や各種の調理料名とそれぞれの配合割合の配合量目盛り６とを設ける手段が考えられるものである。
【００１０】
容器の全底部を傾斜させる他に、水平状態の底部の中心から対向する底部の周辺部分に到る幅のある長方形となる中心部分だけを開口部の縁に向けて傾斜した傾斜縦長底部１８を形成する中央斜底計量容器１７の縦長調理用指示板２１が考えられるものである。
【００１１】
更に、容器の底部の中央部分を傾斜させる他に、水平状態の底部の周辺部分に少しの幅となる縁の馬蹄形状の部分だけを開口部の縁に向けて傾斜した傾斜馬蹄形底部２２を形成し、この傾斜馬蹄形底部２２とした馬蹄縁斜底計量容器２３では水平状態に残った底部２７と傾斜馬蹄形底部２２とが段差状態になって上側の上段側壁部２５と下側の下段側壁部２６とが同一面とならい状態になるのであって、その傾斜馬蹄形底部２２の裏側面に装着する馬蹄調理用指示板２４の圧接縁部５は馬蹄形の内側となる縁に設けて下段側壁部２６と馬蹄調理用指示板２４の圧接縁部５とが接触することで馬蹄調理用指示板２４が保持される馬蹄縁斜底計量容器２３の馬蹄調理用指示板２４も考えられるものである。
【００１２】
以上の調理用指示板１の表面を傾斜底部３の裏側面への取付けと取外しとは、可撓性のある小片の板ばね力と接触部分の摩擦抵抗とがある圧接縁部５によって可能なものにするものであって、取付けた調理用指示板１を取外すときの手段としては下室内壁面４と接触する圧接縁部５とを引き離すことであって、圧接縁部５より外側に向けて連続する突出片７を少なくとも１箇所に設けて取り外すときの手前に引っ張る摘みとして形成したり、縁より内側となる位置において切込みによる一箇所を切残して切り起し状態とした舌状突出片８を少なくとも１箇所に設けて取り外すときの手前に引っ張る摘みとして形成したりする手段が考えられるものである。
【００１３】
その他の調理用指示板１としては、調理用指示板１には圧接縁部５を設けず、その傾斜底部３の下側となる空間室９の下室内壁面４に接触維持することが出来ない大きさの調理用指示板１を不圧縁指示板１０として形成し、その不圧縁指示板１０とは別体としたもので不圧縁指示板１０の裏側より押し当てる押当板１１の縁に下室内壁面４と接触する切込み１５による小片の板ばね力と接触部分の摩擦抵抗とがある圧接縁部５を少なくとも一箇所に設けた押当板１１を形成する手段が考えられるものである。
【００１４】
そして、その押当板１１の圧接縁部５より外側に向けて連続する突出片７が少なくとも一箇所に設けたものを取り外すときの手前に引っ張る摘みとして形成し、その他の摘みとしては縁より内側となるところにおいて一箇所を切り残して切り起し状態とした舌状突出片８を少なくとも１箇所に設けたものを手前に引っ張る摘みとして形成りする手段も考えられるものである。
【００１５】
また、不圧縁指示板１０を傾斜底部３の裏側面に接触させた状態において、空間室９の少なくとも上端空間室１２の中に、弾性のある詰め物を押し込む弾性詰込物１３によって弾性詰込物１３が不圧縁指示板１０を傾斜底部３の裏側面に固定させることが考えられるもので、この押し込まれた弾性詰込物１３を取り外すときの摘みとしては弾性詰込物１３が下室内壁面４と接触する部分より外側に向けて連続する突出片７を少なくとも一箇所に設けて取り外すときの手前に引っ張る摘みとして形成する手段が考えられるものである。
【００１６】
それから、圧接縁部５を設けていて底部を傾斜させた傾斜底部３に装着する調理用指示板１や押当板１１が縦長の楕円形や長方形に成るもので、その長径や長径と平行状態となる縦線を折り曲げが出来る屈曲部１４として少なくとも１箇所に設け、屈曲部１４を山折り状態及び谷折り状態に折り曲げることで調理用指示板１や押当板１１の横幅が小さくなり、その小さくした状態の調理用指示板１や押当板１１を傾斜底部３に接触させ、その屈曲部１４や左右の縁となる部分を傾斜底部３に向けて押せばその横幅が広くなることで下室内壁面４と圧接縁部５とが接触状態と成って取り付けが出来る手段とすることが考えられるものである。
【００１７】
取り外すときの摘みとしては、圧接縁部５より外側に向けて連続する突出片７や屈曲部１４に掛からない位置や、縁より内側となる位置に切線によって一箇所を切り残して切り起し状態とした舌状突出片８を少なくとも一箇所に設けたものとして摘みを形成する手段が考えられるものである。
【００１８】
以上に記載した圧接縁部５となる個所に、外からの圧力を加えるとその容積が縮小するもので、その外圧を除くと元の状態に戻る反発性を有するスポンジやゴムなどの反発性物質に替えたものを設けた圧接縁部５とする手段が考えられ、その取外しは突出片７や舌状突出片８とを設ければ出来るものである。
【発明の効果】
【００１９】
本発明の調理用指示板１は着脱が可能なものであるから、調理用指示板１を増やすことが自由であり、調合する調味料の種類を数多く表示したり自作合せ調味料を表示したりすることも出来、それらの調理用指示板１を保存管理することも容易にできるものである。
【００２０】
そして、注ぎ込まれている調味料の先端と配合量目盛り６とを開口部から一つの視線に入れて見ることが容易に出来るので、注ぐ調味料を容器から外れて注ぎ込むことがなく、注ぎ込んでいる先端を見ている状態で配合量目盛り６が読み取れるものであるから測り易く配合量目盛り６より多くの量を注ぎ込むことがなくなるものである。
【００２１】
調理用指示板１や押当板１１を傾斜底部３の裏側への装着と取外しとは、下室内壁面４と接触する圧接縁部５の切込み１５による小片の板ばね力と接触部分の摩擦抵抗とに係るもので、押し込みと摘みとなる突出片７や舌状突出片８の引張りとによるものでその操作が容易で簡単になるものであるから、調理用指示板１の取扱いが非常に便利なものとなるものである。
【図面の簡単な説明】
【００２２】
【図１】本発明が使用する斜底計量容器を下側から見た斜視図である。
【図２】調理用指示板の縁の部分を切込みによる圧接縁部として設けた平面図である。
【図３】調理用指示板の対向する横縁から突出した圧接縁部を設けた平面図である。
【図４】圧接縁部より摘みとして突出片を設けた平面図である。
【図５】調理材料名と配合量目盛りとが表示されていない押当板の平面図である。
【図６】押当板に、その長径となる縦線を屈曲部として設けた平面図である。
【図７】上端空間室の中に押し込む弾性詰込物の斜視図である。
【図８】圧接縁部に反発縁部を設けた調理用指示板の平面図である。
【図９】中央斜底計量容器を下側から見た斜視図である。
【図１０】馬蹄縁斜底計量容器を下側から見た斜視図である。
【図１１】馬蹄調理用指示板の平面図である。
【発明を実施するための形態】
【００２３】
、以下記載の複数となる実施例は、図１に示すように、適宜形状で可透視性の素材による水平な開口部と底部とを設けている筒状とした容器において、その底部を傾斜させて斜底計量容器２とした楕円形の傾斜底部３の裏側面に装着する調理用指示板１に関して説明するもので、その楕円形の傾斜底部３の裏側面に装着させる調理用指示板１を楕円形とし、その調理用指示板１の表面に各種の調味料名や配合割合の各種の配合量目盛りを記載した調理用指示板１を形成するものであって、以下、この発明の実施する形態を図面により説明する。
【実施例１】
【００２４】
本発明に係る合せ調味料の調理用指示板１の実施例１としては、適宜形状で可透視性の素材による水平な開口部と底部とを設けている筒状の容器におけるもので、その底部を傾斜させた楕円形の傾斜底部３としている斜底計量容器２に関した調理用指示板１であり、その斜底計量容器２の傾斜底部３の大きさと同じ大きさを基準とする調理用指示板１を可撓性素材によるプラスチックの薄板や張りがある紙質で少し厚みのある薄板として形成しており、その調理用指示板１は傾斜底部３である裏側面の横幅より少しばかり広くしたところの縁の部分を、図２に示すように、左右の横縁に複数の切込み１５による圧接縁部５と、図３に示す左右の横縁から二つの突出した圧接縁部５に形成して、傾斜底部３の下側に形成された空間室９の壁となる下室内壁面４ときつめに接触する圧接縁部５を形成しているものてある。
【００２５】
そして、その圧接縁部５は、その素材の持つ弾性を生かした対向する二箇所からの突出させた部分や左右の横縁部分に切込み１５を並べて設けた構造としているもので、斜底計量容器２の傾斜底部３となる裏側面に調理用指示板１を押し付けることで、下室内壁面４と接触する圧接縁部５の小片の板ばね力と接触部分の摩擦抵抗とによって固定させるものである。
【００２６】
それから、調理用指示板１の表面を傾斜底部３の裏側面への取付けと取外しとは、圧接縁部５の弾力と摩擦抵抗とによって可能なものとしているもので、下室内壁面４と接触する圧接縁部５より外側に向けて連続する突出片７を少なくとも一箇所に設けて取り外すときの手前に引っ張る摘みとしたり、切線により一箇所を切り残すことで舌状とした切り起し状態になる舌状突出片８を少なくとも１箇所に設けて手前に引っ張る摘みとした調理用指示板１を形成しているものである
【００２７】
その調理用指示板１の表面においては、その表面の下から上に向けて調合割合の少ない量から混合する順序にしたがって各種の調理材料名とそれぞれの配合量目盛り６を設けたものとしており、その調理用指示板１の取付けはその表面を傾斜底部３の裏側面への押し付けによる取付けと突出片７や舌状突出片８の引張りによる取外しとによって取扱いを容易なものとしているものである。
【実施例２】
【００２８】
その他の実施例２としては、図４と図５とに示すように、調理用指示板１には圧接縁部５を設けずその傾斜底部３の下側となる空間室９の下室内壁面４に接触維持することが出来ない大きさの調理用指示板１を不圧縁指示板１０として形成するもので、その表面においては、その表面の下から上に向けて調合割合の少ない量から混合する順序にしたがって各種の調理料名とそれぞれの配合量目盛り６とを設けているものである。
【００２９】
そして、その不圧縁指示板８とは別体とした不圧縁指示板８の裏側より押し当てる押当板１１には調理材料名とそれぞれの配合量目盛りが記載されていない白紙状態とし、不圧縁指示板８の大きさより外側に少し広くした横縁を設けて圧接縁部５を形成し、その押当板１１の下室内壁面４と接触する圧接縁部５を、図４に示すように、対向する二箇所からの突出させた圧接縁部５や、図５に示すような、左右の横縁にその素材の持つ弾性を生かした複数の切込み１５を設けた押当板１１を形成するもので、その押当板１１の圧接縁部５より外側に向けて連続する突出片７や押当板１１の下側となる位置に切線による一箇所を切り残して舌状とした切り起し状態になる舌状突出片８を少なくとも一箇所に設けて取り外すときの摘みとして形成する押当板１１が考えられるものである。
【実施例３】
【００３０】
それから、実施例３としては、図６に示すように、傾斜底部３である裏側面の横幅より僅かに広くして傾斜底部３である裏側面にきつく押し当てる大きさの調理用指示板１や押当板１１にその長径や長径と平行状態となる縦線を屈曲部１４として設け、その屈曲部１４を山折り状態の屈曲部１４と谷折り状態の屈曲部１４として使用することが出来るもので少なくとも１箇所に設けて屈曲部１４を山折りや谷折り状態に折り曲げて横幅を小さくしたものを傾斜底部３に押し当て、その屈曲部１４を傾斜底部３に向けての押し当てや左右の縁の部分を傾斜底部３に向けて押し当てるなどでその横幅が広くなり、調理用指示板１や押当板１１が傾斜底部３の裏側面に接触状態となり、下室内壁面４と調理用指示板１や押当板１１の縁の部分とが圧接して調理用指示板１や押当板１１を固定状態とすることで取り付けが出来るものである。
【００３１】
屈曲部１４を設けた押当板１１を取り外すときの摘みとしては、屈曲部１４に掛からない位置や縁より内側となる位置に、切線によって一箇所を切り残して舌状とした切り起し状態になる舌状突出片８を少なくとも１箇所に設けたものとして形成するもので、押当板１１の上側よりは下側となる位置に設けるものが取外しの取扱を良くするものである。
【実施例４】
【００３２】
また、実施例４としては、押当板１１の代わりとして図７に示すように、不圧縁指示板１０を傾斜底部３の裏側面に接触させた状態において、空間室９の少なくとも上端空間室１２の中に弾性のある詰め物を強く押し込む弾性詰込物１３によって弾性詰込物１３が不圧縁指示板１０を傾斜底部３の裏側面に固定させるものが考えられるものである。
【００３３】
この固定された弾性詰込物１３を取り外すときの摘みとしては、紐、帯、薄板等の突出片７によって、弾性詰込物１３が下室内壁面４と接触する部分より外側に向けて連続する突出片１３を一箇所に設けた弾性詰込物１３としたり、突出片７を弾性詰込物１３の適当な二箇所より外側に向けて左右に掛け渡した状態としたりして設けることが考えられるもので、様々な状態とした突出片１３が考えられるものである。
【実施例５】
【００３４】
以上記載の圧接縁部５における他の考えとしては、図８に示すように、外から圧力を加えるとその物質が縮小し、その外圧を除くと元の状態に戻る反発性を有するスポンジやゴムなどによる反発縁部１７を設ける手段が考えられるものであり、取り外すときの摘みとしては、以上に記述した突出片７や舌状突出片８を設けて摘みとすればその効果が得られるものである。
【実施例６】
【００３５】
斜底計量容器２においては底部の全面を斜めに傾けた斜底計量容器としているが、底面の中心から対向する底面の周辺部分に到る幅のある中心線部分を開口部の縁に向けて傾斜した長方形部分だけを傾斜させる傾斜縦長底部１８が考えられるものである。
【００３６】
その長方形状の傾斜縦長底部１８が形成されるときに、図９に示すように、中央斜底計量容器１７には凹室１９と凹室内壁面２０とが存在するものとなるものであって、その調理用指示板１となるものは長方形状の傾斜縦長底部１８の裏側面に押し当てる縦長調理用指示板２１となり、縦長調理用指示板２１の左右の側辺縁に切込み１５や反発縁部１６の圧接縁部５を設けることで凹室内壁面２０に圧接させて傾斜縦長底部１８の裏側面に装着する縦長調理用指示板２１が調理用指示板１と同じ様に形成することが考えられるものである。
【実施例７】
【００３７】
開口部と底部とを設けている筒状の容器で、水平状態の底部の周辺部分となる少しの幅を設けた縁の部分だけを開口部の縁に向けて、図１０に示すように、傾斜した馬蹄形状の部分を傾斜させた傾斜馬蹄形底部２２を設け、その傾斜馬蹄形底部２２と同じ大きさの馬蹄調理用指示板２４としたことが考えられるものである。
【００３８】
この傾斜馬蹄形底部２２とした馬蹄縁斜底計量容器２３では、水平状態の残った底部２７と傾斜馬蹄形底部２２とが段差状態になって上側の上段側壁部２５と下側の下段側壁部２６とが同一面とならい状態になるのであって、その傾斜馬蹄形底部２２の裏側面に装着する馬蹄調理用指示板２４の圧接縁部５は図１１に示すように、馬蹄形の内側となる縁に設けて下段側壁部と馬蹄調理用指示板２４の圧接縁部５とが接触することで馬蹄調理用指示板２４が保持されるものである
【００３９】
馬蹄調理用指示板２４の傾斜馬蹄形底部２２と接触する表面には各種の調味料名や配合割合の各種の配合量目盛り６などを記載することは当然であり、取り外すときには馬蹄調理用指示板２４の外側となる縁が傾斜馬蹄形底部２２の外側縁と並ぶので指先に引っ掛けることができるものとなるので摘みとなるものを設けなくても良く、他の摘みとしては馬蹄調理用指示板２４の外側縁より突出片７を延接した摘みや上段側壁部２５の外側縁より外側に出るように全体を少しばかり広げれば、その広げた縁を指先に引っ掛けることができるので摘みとして使えるものである。
【００４０】
斜底計量容器２の適宜形状としては楕円形や長方形と多角形の筒状とした開口部と底部とを設けている容器として形成することが可能であって、下室内壁面４に固定させる圧接縁部５の形状も各実施例に記載しているそれぞれの圧接縁部５をその他の実施例に使用することが可能としているものである。
【符号の説明】
【００４１】
１  調理用指示板
２  斜底計量容器
３  傾斜底部
４  下室内壁面
５  圧接縁部
６  配合量目盛り
７  突出片
８  舌状突出片
９  空間室
１０  不圧縁指示板
１１  押当板
１２  上端空間室
１３  弾性詰込物
１４  屈曲部
１５  切込み
１６  反発縁部
１７  中央斜底計量容器
１８  傾斜縦長底部
１９  凹室
２０  凹室内壁面
２１  縦長調理用指示板
２２  傾斜馬蹄形底部
２３  馬蹄縁斜底計量容器
２４  馬蹄調理用指示板
２５  上段側壁部
２６  下段側壁部
２７  残った底部
【図１】
2011007650.tif 000003
【図２】
2011007650.tif 000004
【図３】
2011007650.tif 000005
【図４】
2011007650.tif 000006
【図５】
2011007650.tif 000007
【図６】
2011007650.tif 000008
【図７】
2011007650.tif 000009
【図８】
2011007650.tif 000010
【図９】
2011007650.tif 000011
【図１０】
2011007650.tif 000012
【図１１】
2011007650.tif 000013